(57)【要約】【課題】紙幣取扱装置における紙幣の管理性を向上させる技術を提供する。【解決手段】紙幣取扱装置１００は、紙幣が収納される複数の紙幣収納庫７１〜７３と、複数の紙幣収納庫７１〜７３のそれぞれに装填される紙幣が収納される紙幣装填庫７０と、を備える。また、紙幣取扱装置１００は、複数の紙幣収納庫７１〜７３と紙幣装填庫７０との間において、搬送中の紙幣の記番号を取得する紙幣判別部３０と、紙幣装填庫７０から、紙幣判別部３０を経由させて、複数の紙幣収納庫７１〜７３へと向かう経路で紙幣を搬送する搬送路８０を備える。紙幣取扱装置１００の主制御部１６１は、搬送路８０を制御して、紙幣装填庫７０から複数の紙幣収納庫７１〜７３のそれぞれへと紙幣を装填しつつ、紙幣判別部３０から紙幣の記番号を取得する紙幣装填処理を実行する。【選択図】図１２
2014002508.tif 000002
【特許請求の範囲】
【請求項１】
紙幣取扱装置であって、
紙幣が収納される複数の紙幣収納庫と、
前記複数の紙幣収納庫のそれぞれに装填される紙幣が収納される紙幣装填庫と、
前記複数の紙幣収納庫と前記紙幣装填庫との間において、搬送中の紙幣の記番号を取得するための紙幣判別部と、
前記紙幣装填庫から、前記紙幣判別部を経由させて、前記複数の紙幣収納庫へと向かう第１の搬送方向で紙幣を搬送する搬送路と、
前記搬送路を制御して、前記紙幣装填庫から前記複数の紙幣収納庫のそれぞれへと紙幣を装填しつつ、前記紙幣判別部から前記紙幣の記番号を取得する紙幣装填処理を実行する制御部と、
を備える、紙幣取扱装置。
【請求項２】
請求項１記載の紙幣取扱装置であって、
前記制御部は、前記複数の紙幣収納庫のそれぞれから前記紙幣装填庫へと紙幣を回収しつつ、前記紙幣判別部から前記紙幣の記番号を取得する紙幣回収処理を実行し、
前記搬送路は、前記紙幣回収処理の実行時には、紙幣の搬送方向を前記第１の搬送方向から切り替え、前記複数の紙幣収納庫から前記紙幣判別部を経由させて前記紙幣装填庫へと向かう第２の搬送方向で紙幣を搬送する、紙幣取扱装置。
【請求項３】
請求項２記載の紙幣取扱装置であって、
前記紙幣判別部は、さらに、搬送中の紙幣の金種を判別する機能を有し、
前記制御部は、前記紙幣回収処理を実行して、前記複数の紙幣収納庫のそれぞれの紙幣を前記紙幣装填庫に回収した後に、前記紙幣装填庫に回収された紙幣を前記複数の紙幣収納庫のそれぞれに戻すことにより、前記複数の紙幣収納庫に収納されている紙幣の記番号を記録するとともに、前記紙幣の金種ごとの枚数を精査する、紙幣精査処理を実行する、紙幣取扱装置。
【請求項４】
請求項３記載の紙幣取扱装置であって、さらに、
所定の基準を満たさない紙幣であるリジェクト紙幣を収納するリジェクト紙幣収納庫を備え、
前記紙幣判別部は、搬送中の紙幣の中から前記リジェクト紙幣を検出する機能を有しており、
前記搬送路には、前記第１または第２の搬送方向で搬送されている紙幣の中から検出された前記リジェクト紙幣の搬送先を、前記リジェクト紙幣収納庫へと切り替える切替機構が設けられており、
前記制御部は、前記紙幣装填処理および前記紙幣回収処理において、前記紙幣判別部によって検出されたリジェクト紙幣を、前記リジェクト紙幣搬送路を介して、前記リジェクト紙幣収納庫に収納する、紙幣取扱装置。
【請求項５】
請求項４記載の紙幣取扱装置であって、
前記リジェクト紙幣収納庫は、前記紙幣装填庫と隣り合って配置されており、
前記搬送路は、
前記紙幣判別部と、前記複数の紙幣収納庫のそれぞれの入口とを結び、ループ状に形成されている第１の搬送路と、
前記第１の搬送路と、前記リジェクト紙幣収納庫の入口と、前記紙幣装填庫の入口とにそれぞれ接続されている第２の搬送路と、
を含み、
前記切替機構は、
前記第１の搬送路の紙幣を前記第２の搬送路へと分岐させることができる第１のゲート部と、
前記第２の搬送路の紙幣の搬送先を、前記紙幣装填庫または前記リジェクト紙幣収納庫に切り替える第２のゲート部と、
を含み、
前記制御部は、
（ｉ）前記紙幣装填処理の実行時には、前記紙幣装填庫から前記第２の搬送路に繰り出された紙幣を、前記第１の搬送路に搬送し、前記紙幣判別部を経由させて、前記複数の紙幣収納庫のそれぞれに収納させ、
前記紙幣判別部において検出された前記リジェクト紙幣については、前記第１のゲート部を介して、前記第１の搬送路から、前記第２の搬送路へと戻し、前記リジェクト紙幣収納庫に収納させ、
（ｉｉ）前記紙幣回収処理の実行時には、前記複数の紙幣収納庫のそれぞれから前記第１の搬送路に繰り出された紙幣を、前記紙幣判別部を経由させて、前記第１ゲート部を介して前記第２の搬送路に搬送した後に、前記第２のゲート部を介して、前記紙幣装填庫に搬送し、
前記紙幣判別部において検出された前記リジェクト紙幣については、前記第１ゲート部を介して前記第２の搬送路に搬送した後に、前記第２のゲート部を介して、前記リジェクト紙幣収納庫に搬送する、紙幣取扱装置。
【請求項６】
請求項１から請求項５のいずれか一項に記載の紙幣取扱装置であって、さらに、
顧客からの紙幣を受け入れる紙幣受入口を備え、
前記搬送路は、前記紙幣受入口と前記紙幣判別部とを接続する入金搬送路を有し、
前記制御部は、
前記紙幣受入口から、前記入金搬送路に紙幣を繰り出し、前記紙幣判別部によって前記紙幣の記番号を取得しつつ、前記紙幣を前記複数の紙幣収納庫のそれぞれに収納する入金紙幣収納処理と、
前記入金収納処理によって前記複数の紙幣収納庫のそれぞれに収納された紙幣を、前記複数の紙幣収納庫のそれぞれから前記搬送路に繰り出し、前記紙幣判別部を経由させて前記紙幣受入口へと返却する入金紙幣返却処理と、
を実行し、
前記制御部は、前記入金紙幣返却処理の実行時には、返却される紙幣の記番号を、前記紙幣判別部によって取得し、前記入金紙幣収納処理の実行時に記録した記番号と照合して、両者の不一致を検出する、紙幣取扱装置。
【請求項７】
請求項６記載の紙幣取扱装置であって、
前記紙幣受入口と前記複数の紙幣収納庫との間に紙幣を一時的に集積して保管する一時保管庫を備えていない、紙幣取扱装置。
【発明の詳細な説明】
【技術分野】
【０００１】
この発明は、紙幣取扱装置に関する。
【背景技術】
【０００２】
金融機関では、顧客と、金融機関の係員（いわゆるテラー）との間での金銭の授受を伴う取引の際に、紙幣取扱装置が用いられる（下記特許文献１参照）。ここで、金融機関における入金取引では、通常、取引が確定されるまでは、その紙幣の所有権は顧客側にあるものとして扱われる。そのため、紙幣取扱装置は、入金取引において、顧客からの紙幣を受け入れた後であっても、取引の確定までは、当該紙幣を一時保留部に収納して返却可能に保持し、取引確定後に、当該紙幣を金種別に収納庫に収納する構成を採用している。また、紙幣取扱装置は、円滑に紙幣の取引を行うために、汚れや形状などが一定の基準を満たさない、取引に適さない紙幣については、リジェクト紙幣として、取引対象から除外する機能を備えている。
【先行技術文献】
【特許文献】
【０００３】
【特許文献１】特開２００４−１４５６００号公報
【発明の概要】
【発明が解決しようとする課題】
【０００４】
ここで、紙幣取扱装置は、通常、上述したような顧客とテラーとの取引を仲介する機能だけではなく、テラーによる取引の準備処理を実行する機能を備える場合がある。テラーによる取引の準備処理としては、例えば、出金取引に備えて装置内の紙幣収納庫に事前に紙幣を装填しておく処理や、入金取引によって集積された紙幣を回収する処理、装置内の紙幣収納庫に収納されている紙幣の枚数を精査する処理などがある。
【０００５】
金融機関では、紙幣取扱装置に対して、上記の準備処理の実行時における、紙幣の管理性が向上されることが要求されている。具体的には、紙幣取扱装置に対して、装置内に収納されている紙幣の枚数などを確実に把握できることや、装置内における紙幣の紛失や消失、損傷・劣化が抑制されることなどが要求されている。しかし、これまで、そうした取引の準備処理において、紙幣の管理性を向上させることについては、十分な工夫がなされてこなかった。
【０００６】
本発明は、上述の課題を解決するためになされたものであり、紙幣取扱装置における紙幣の管理性を向上させる技術を提供することを目的とする。
【課題を解決するための手段】
【０００７】
本発明は、上述の課題の少なくとも一部を解決するためになされたものであり、以下の形態として実現することが可能である。
【０００８】
本発明の一形態の紙幣取扱装置は、紙幣が収納される複数の紙幣収納庫と；前記複数の紙幣収納庫のそれぞれに装填される紙幣が収納される紙幣装填庫と；前記複数の紙幣収納庫と前記紙幣装填庫との間において、搬送中の紙幣の記番号を取得するための紙幣判別部と；前記紙幣装填庫から、前記紙幣判別部を経由させて、前記複数の紙幣収納庫へと向かう第１の搬送方向で紙幣を搬送する搬送路と；前記搬送路を制御して、前記紙幣装填庫から前記複数の紙幣収納庫のそれぞれへと紙幣を装填しつつ、前記紙幣判別部から前記紙幣の記番号を取得する紙幣装填処理を実行する制御部と；を備える。
【発明の効果】
【０００９】
本発明によれば、紙幣取扱装置において、複数の紙幣収納庫に紙幣を装填する装填処理の実行時に、制御部が、装填される各紙幣の固有の記番号を取得する。従って、装置内に装填されている紙幣を、記番号によって管理することができ、紙幣取扱装置における紙幣の管理性が向上する。
なお、上述した以外の本発明の課題や、構成、効果等については、以下の実施例や実施形態の説明において適宜説明する。
【図面の簡単な説明】
【００１０】
【図１】紙幣取扱装置の構成を示す概略図。
【図２】処理機構の搬送路の駆動力について説明するための概略図。
【図３】紙幣取扱装置の制御構成を示すブロック図。
【図４】主制御部の内部構成を示すブロック図。
【図５】入金取引処理の処理手順を示す説明図。
【図６】入金取引処理における、紙幣を各紙幣収納庫または入金リジェクト庫に収納するための紙幣の搬送経路を示す概略図。
【図７】障害発生を通知するメッセージの表示例を示す概略図。
【図８】入金取引処理における、顧客の紙幣を紙幣収納庫から紙幣入出金口に戻すための紙幣の搬送経路を示す概略図。
【図９】記番号の不一致が検出された場合に利用者に通知されるメッセージの表示例を示す概略図。
【図１０】出金取引処理の処理手順を示す説明図。
【図１１】出金取引処理における紙幣の搬送経路を示す概略図。
【図１２】紙幣装填処理における紙幣の搬送経路を示す概略図。
【図１３】紙幣回収処理における紙幣の搬送経路を示す概略図。
【図１４】紙幣精査処理の処理手順を示す説明図。
【発明を実施するための形態】
【実施例】
【００１１】
図１は本発明の一実施例としての紙幣取扱装置の構成を示す概略図である。この紙幣取扱装置１００は、銀行などの金融機関に配置され、利用者（いわゆるテラーなどの金融機関の係員）の操作に応じて、顧客との間の金銭の授受に関する各種の取引処理を実行する。また、紙幣取扱装置１００は、利用者の操作に応じて、各種取引の前後などに、取引のための準備処理（後述）を実行することができる。
【００１２】
なお、本明細書では、利用者が正対する側（紙面左側）である、矢印Ｆで示す方向を「紙幣取扱装置１００の前方」と呼ぶ。一方、顧客が正対する側（紙面右側）である、矢印Ｂで示す方向（前方とは反対の方向）を「紙幣取扱装置１００の後方」と呼ぶ。また、「左右方向」と呼ぶときは、利用者が紙幣取扱装置１００の前方に正対したときの左右方向を意味する。
【００１３】
紙幣取扱装置１００は、上部に配置されている処理機構１０１と、下部に配置されている収納機構１０２と、を備えている。処理機構１０１は、紙幣入出金口４０と、紙幣判別部３０と、入金リジェクト庫６０と、を有している。紙幣入出金口４０は、処理機構１０１の前方上部に設けられており、利用者は、紙幣入出金口４０に対して、取引対象となる紙幣の投入及び取り出しを行うことができる。
【００１４】
紙幣入出金口４０には、利用者がアクセスする際に、回動機構によって開閉するシャッター４１が設けられている。なお、紙幣入出金口４０では、利用者によって投入された紙幣は、長辺に沿った方向を水平方向として立てられた状態で収容される。また、紙幣入出金口４０では、利用者に提供するために装置内から繰り出された紙幣も同様に、長辺に沿った方向を水平方向として立てられた状態で収容される。
【００１５】
紙幣判別部３０は、内部に、紙幣を双方向に搬送する搬送路３０ａを備えている。紙幣判別部３０の搬送路３０ａは、前後方向に水平面に沿って延びており、図示は省略するが、搬送中の紙幣に関する情報を取得するための各種のセンサが配列されている。紙幣判別部３０は、搬送中の紙幣について、（ｉ）金種の判別や、（ｉｉ）リジェクト紙幣に該当する否かの判別を実行する。
【００１６】
ここで、本明細書において、「リジェクト紙幣」とは、形状や、汚れ・変色の度合いなどが所定の基準を満たさず、取引対象として用いるのに適していない紙幣を意味する。なお、リジェクト紙幣には、偽造紙幣が含まれるものとしても良い。紙幣判別部３０は、これらの紙幣の判別処理を、光学センサや磁気センサなどによって取得された、紙幣の画像データや、紫外線などに対する光学特性、紙幣の表面の凹凸形状、磁気特性、など種々の情報を利用して行う。
【００１７】
さらに、紙幣判別部３０は、搬送中の紙幣について、（ｉｉｉ）紙幣固有の記番号の取得を実行する。具体的には、紙幣判別部３０は、光学センサによって取得した紙幣の画像データから紙幣の記番号を読み取る。本実施例の紙幣取扱装置１００では、この紙幣の記番号によって装置内の紙幣を管理するが、詳細は後述する。紙幣判別部３０は、紙幣に関する判別結果や取得した記番号を制御部（後述）に出力する。
【００１８】
入金リジェクト庫６０は、紙幣判別部３０においてリジェクト紙幣として判別された紙幣が排出される排出口である。入金リジェクト庫６０は、処理機構１０１の前方であって、紙幣入出金口４０の下側の位置に設けられている。利用者は、入金取引において、紙幣入出金口４０から投入した紙幣に含まれていたリジェクト紙幣を、入金リジェクト庫６０のシャッター６１が開いたときに取り出すことができる。なお、図１には、開いた状態のシャッター６１を破線で図示してある。
【００１９】
ここで、処理機構１０１には、紙幣入出金口４０と、紙幣判別部３０と、入金リジェクト庫６０とを結ぶ紙幣の搬送路８０が、搬送ベルトや搬送ローラによって設けられている。具体的には、紙幣入出金口４０と紙幣判別部３０との間に、搬送路４０ａ，１０ｅ，１０ｄが設けられ、紙幣判別部３０と入金リジェクト庫６０との間に、紙幣の搬送路１０ａ，５０ａ，５０ｂ，６０ａが設けられている。また、処理機構１０１には、紙幣判別部３０と紙幣入出金口４０との間の搬送路１０ｅにおける紙幣入出金口４０側の端部と、搬送路５０ａの前方側の端部と、を接続する搬送路１０ｆが設けられている。
【００２０】
搬送路４０ａは、紙幣入出金口４０の下端に接続されており、紙幣入出金口４０に対して、下方から、紙幣を１枚ずつ、繰り入れ、または、繰り出すことができる。以後、搬送路４０ａを「入出金搬送路４０ａ」とも呼ぶ。入出金搬送路４０ａは、紙幣入出金口４０の下端から重力方向上側に湾曲して延び、搬送路１０ｅに接続されている。
【００２１】
搬送路１０ｅは、入出金搬送路４０ａとの接続部位から重力方向上側に斜めに延びた後に折り返して重力方向下側に向かい、次の搬送路１０ｄに接続されている。搬送路１０ｄは、重力方向下側に延びた後、水平方向に沿って曲がり、紙幣判別部３０の搬送路３０ａに接続されている。紙幣判別部３０の搬送路３０ａの後方側の端部には、搬送路１０ａが接続されている。搬送路１０ａは、紙幣取扱装置１００の後方側端部の手前まで延び、次の搬送路５０ａに接続されている。
【００２２】
ところで、本実施例の紙幣取扱装置１００では、紙幣判別部３０の前方側の、上下方向に折り返す搬送路４０ａ，１０ｅ，１０ｄや、紙幣判別部３０の後方側の、前後方向に水平に延びる搬送路１０ａによって、紙幣の搬送距離を敢えて長大化させてある。この理由については後述する。
【００２３】
搬送路５０ａは、搬送路１０ａとの接続部から重力方向下側に折り返し、搬送路１０ａおよび紙幣判別部３０の搬送路３０ａの下側において、紙幣判別部３０の前方側端部の下側まで、それらの搬送路１０ａ，３０ａと並列に延びている。なお、搬送路５０ａの下方には、収納機構１０２の第１〜第３の紙幣収納庫７１〜７３が配列されている。
【００２４】
搬送路５０ａは、前後方向に水平に延びる搬送路５０ｂと、斜め上方に延びる搬送路１０ｆとに、紙幣の搬送先を切り替えるためのゲート１５を介して接続されている。搬送路１０ｆは、紙幣の搬送先を切り替えるためのゲート１４を介して入出金搬送路４０ａに接続されている。
【００２５】
水平方向に延びる搬送路５０ｂの下方には、第４の紙幣収納庫７４が配置されており、搬送路５０ｂは、ゲート５４を介して、第４の紙幣収納庫７４の連結搬送路７４ａと接続されている。また、搬送路５０ｂは、入金リジェクト庫６０に接続された搬送路６０ａに接続されている。以後、搬送路６０ａを「リジェクト庫用搬送路６０ａ」とも呼ぶ。
【００２６】
リジェクト庫用搬送路６０ａは、前段の搬送路５０ｂから斜め上方に向かって延びて、入金リジェクト庫６０の上方端部に接続されている。リジェクト紙幣は、リジェクト庫用搬送路６０ａによって、上方からリジェクト庫６０内に排出されて積層される。
【００２７】
図２は、処理機構１０１の搬送路の駆動力について説明するための概略図である。図２は、以下の点以外は、図１とほぼ同じである。図２では、２つの搬送路４０ａ，６０ａや、処理機構１０１と収納機構１０２とを接続する連結搬送路７１ａ〜７４ａの図示を省略してあり、説明に関係する符号以外の表示を省略してある。また、図２では、２つの駆動モータ１０ｍ，２０ｍを模式的に図示してある。なお、２つの駆動モータ１０ｍ，２０ｍは、説明の便宜上、本来の位置から取り出した位置に表示してある。
【００２８】
ここで、本明細書では、処理機構１０１の搬送路８０のうち、紙幣判別部３０と第１〜第４の紙幣収納庫７１〜７４の入口とをそれぞれ結ぶループ状の経路を形成する搬送路５０ａ，１０ａ，３０ａ，１０ｄ，１０ｅ，１０ｆを「第１の搬送路１０」とも呼ぶ。また、ゲート１５を介して、第１の搬送路１０の中の搬送路５０ａに接続されている、前後方向に水平に延びる搬送路５０ｂを、特に、「第２の搬送路２０」とも呼ぶ。
【００２９】
第１の搬送路１０は、第１の駆動モータ１０ｍの回転駆動力を利用して紙幣を双方向に搬送する。具体的には、第１の搬送路１０は、紙幣の搬送方向を、第１の駆動モータ１０ｍの回転方向を切り替えることによって、第１の搬送方向Ｄ１（図２では反時計回りの方向）と、第２の搬送方向Ｄ２（図２では時計回りの方向）とに切り替えることが可能である。なお、第１の搬送路１０は、前記したとおりループ状の搬送経路を構成している。しかし、後述するように、本実施例の紙幣取扱装置１００では、紙幣が、第１の搬送路１０を一周するように搬送されることはない。
【００３０】
一方、第２の搬送路２０（搬送路５０ｂ）は、第２の駆動モータ２０ｍの回転駆動力を利用して駆動され、第２の駆動モータ２０ｍの回転方向の切替により、水平面に沿った前後方向に搬送方向を切り替えて、紙幣を双方向に搬送することができる。このように、第１と第２の搬送路１０，２０はそれぞれ、専用の駆動モータ１０ｍ，２０ｍによって駆動されているため、それぞれに、独立して駆動方向を切り替えることができる。
【００３１】
紙幣取扱装置１００の収納機構１０２（図１）は、紙幣を金種別に集積する、第１〜第４の紙幣収納庫７１〜７４と、所有権が金融機関側に所属しているリジェクト紙幣を集積する出金リジェクト庫７０とを備えている。第１〜第４の紙幣収納庫７１〜７４と出金リジェクト庫７０とは、この順序で、後方から前方に向かって一列に配置されている。第１〜第４の紙幣収納庫７１〜７４および出金リジェクト庫７０は、取り出し可能なカセットによって構成されている。
【００３２】
ここで、第１〜第４の紙幣収納庫７１〜７４の上方には、処理機構１０１の搬送路５０ａ，５０ｂが水平に延びている。第１〜第３の紙幣収納庫７１〜７３は、第１〜第３の連結搬送路７１ａ〜７３ａを介して、搬送路５０ａに接続されている。第４の紙幣収納庫７４は、第４の連結搬送路７４ａを介して搬送路５０ｂに接続されている。
【００３３】
なお、第１〜第４の連結搬送路７１ａ〜７４ａと、搬送路５０ａ，５０ｂとの接続部位には、紙幣の搬送先を切り替えるための第１〜第４のゲート５１〜５４が設けられている。また、第１〜第４の紙幣収納庫７１〜７４には、積層収容されている紙幣の束から、一番上の紙幣を１枚ずつ、第１〜第４の連結搬送路７１ａ〜７４ａへと順に繰り出し可能な紙幣の繰り出し機構が設けられている。
【００３４】
出金リジェクト庫７０は、連結搬送路７０ａを介して搬送路５０ｂの前方側の端部に接続されている。なお、連結搬送路７０ａと搬送路５０ｂとの間にはゲート５５が設けられている。ゲート５５は、搬送路５０ｂの接続先を、リジェクト庫用搬送路６０ａまたは連結搬送路７０ａに切り替えることができる。出金リジェクト庫７０内には、連結搬送路７０ａによって搬入されたリジェクト紙幣が順に積層されていく。
【００３５】
なお、図示は省略してあるが、紙幣取扱装置１００の搬送路８０には、所定の間隔で、紙幣の有無を検知する検知センサが設置されている。また。紙幣入出金口４０や、入金リジェクト庫６０、出金リジェクト庫７０、紙幣収納庫７１〜７４内にも、紙幣の搬入・搬出の完了を検知するための検知センサが設置されている。
【００３６】
ここで、本実施例の紙幣取扱装置１００では、第１〜第４の紙幣収納庫７１〜７４や出金リジェクト庫７０は、その配置順序や機能を任意に変更することが可能であり、それによって、紙幣取扱装置１００は様々な使用態様に対応することができる。詳細は後述するが、出金リジェクト庫７０は、例えば、紙幣取扱装置１００の運用前に予め紙幣収納庫７１〜７４に装填される紙幣や、紙幣取扱装置１００の運用後に紙幣収納庫７１〜７４から回収された紙幣を収納する紙幣装填庫または紙幣回収庫として利用することができる。
【００３７】
以上のように、紙幣取扱装置１００では、紙幣入出金口４０と紙幣判別部３０とが、前後方向に略水平に配列されており、その下段において、紙幣収納庫７１〜７４と出金リジェクト庫７０と入金リジェクト庫６０とが前後方向に並列に配列されている。この配置構成によって、本実施例の紙幣取扱装置１００では、各構成部間に形成される紙幣の搬送経路が単純化（簡素化）され、短縮化されており、紙幣の搬送効率が向上されている。
【００３８】
図３は、紙幣取扱装置１００の制御構成を示すブロック図である。紙幣取扱装置１００は、装置全体を制御する制御部１６を備えている。制御部１６は、少なくとも、主制御部１６１と、メモリ１６２と、上位通信部１６３と、を有する。主制御部１６１は、主に制御用のマイクロプロセッサによって構成することができる。詳細は後述するが、主制御部１６１は、紙幣取扱装置１００に各種の処理を実行させる処理実行部として機能する。
【００３９】
メモリ１６２は主記憶装置であり、主制御部１６１が実行する各種のプログラムや、紙幣判別部３０から取得した紙幣の記番号など、紙幣に関する各種のデータが格納される。上位通信部１６３は、パーソナルコンピュータなどによって構成される、操作端末２００との通信を制御する。メモリ１６２に格納された紙幣に関する情報は、上位通信部１６３によって、操作端末２００にも送信される。
【００４０】
制御部１６は、主制御部１６１によって、紙幣判別部３０と、紙幣入出金口４０と、入金リジェクト庫６０と、出金リジェクト庫７０と、紙幣収納庫７１〜７４と、搬送路８０と、を制御する。なお、主制御部１６１による搬送路８０の制御は、検知センサ１６５と、駆動モータ１６６と、ゲート１６７とを制御することによって実行される。
【００４１】
ここで、検知センサ１６５は、上述した、搬送路８０上や各構成部に設置されたセンサを含む。また、ゲート１６７は、搬送路８０に設けられた図１，図２に図示されたゲート１４，１５，５１，５２，５３，５４，５５を含む。駆動モータ１６６は、図２で説明した第１と第２の駆動モータ１０ｍ，２０ｍを含む。
【００４２】
図４は、主制御部１６１の内部構成を示すブロック図である。主制御部１６１は、紙幣取扱装置１００における取引処理を実行する、入金取引処理実行部１６１１や、出金取引処理実行部１６１２としての機能を備える。
【００４３】
また、主制御部１６１は、紙幣取扱装置１００における取引の準備処理である、紙幣装填処理、紙幣回収処理、紙幣精査処理を実行する処理実行部１６１３〜１６１５としての機能を備える。具体的には、主制御部１６１は、紙幣装填処理実行部１６１３や、紙幣回収処理実行部１６１４、紙幣精査処理実行部１６１５としての機能を備える。
【００４４】
以下では、本実施例の紙幣取扱装置１００における各取引処理および各準備処理の詳細な内容を説明する。なお、以下の説明では、各処理の実行主体である各処理実行部１６１１〜１６１５を区別することなく、主制御部１６１として説明する。
【００４５】
［１］入金取引処理：
図５は、紙幣取扱装置１００において実行される入金取引処理の処理手順を示すフローチャートである。ここで、「入金取引処理」とは、顧客から預かった紙幣を、紙幣入出金口４０から各紙幣収納庫７１〜７４に金種別に収納する処理である。
【００４６】
なお、入金取引処理では、顧客から預かった紙幣に含まれるリジェクト紙幣については取引対象から除外される。また、入金取引処理では、顧客から預かった紙幣を紙幣取扱装置１００に投入した後であっても、取引が確定されなかった場合（取引が取り消された場合）には、預かった紙幣をそのまま顧客に返却することになる。
【００４７】
ステップＳ１０では、主制御部１６１は、処理機構１０１において、紙幣を紙幣入出金口４０から各紙幣収納庫７１〜７４または入金リジェクト庫６０に搬送するための搬送経路を構成する。具体的に、主制御部１６１は、ゲート１６７や駆動モータ１６６（図３）を制御することによって、以下のような搬送経路を構成する。
【００４８】
図６は、入金取引処理における、顧客から預かった紙幣を各紙幣収納庫７１〜７４または入金リジェクト庫６０に収納するための紙幣の搬送経路を示す概略図である。図６は、紙幣の搬送方向を実線矢印によって図示してある点と、紙幣の搬送に用いられない搬送路を破線で図示してある点以外は、図１とほぼ同じである。
【００４９】
主制御部１６１は、ゲート１４を制御して、紙幣入出金口４０と紙幣判別部３０との間の各搬送路４０ａ，１０ｅ，１０ｄを接続させる。また、主制御部１６１は、ゲート１５を制御して、搬送路５０ａと搬送路５０ｂとを接続し、ゲート５５を制御して、搬送路５０ｂとリジェクト庫用搬送路６０ａとを接続する。
【００５０】
主制御部１６１は、第１の搬送路１０（図２）において、紙幣が、矢印Ｄ２の方向に搬送されるように、第１の駆動モータ１０ｍを回転させる。また、主制御部１６１は、第２の搬送路２０である搬送路５０ｂにおいて、紙幣が後方から前方へと搬送されるように、第２の駆動モータ２０ｍを回転させる。
【００５１】
主制御部１６１は、顧客から預かった紙幣の束が利用者によって紙幣入出金口４０に投入されたことが確認されたときに、当該紙幣の搬送を開始する（図５のステップＳ２０）。主制御部１６１は、入出金搬送路４０ａによって、紙幣入出金口４０から紙幣を一枚ずつ繰り出させ、搬送路１０ｅ，１０ｄを介して、紙幣判別部３０へと搬送させる。
【００５２】
主制御部１６１は、紙幣判別部３０に、搬送中の各紙幣について、金種の判別と、記番号の読み取りと、リジェクト紙幣の検出とを実行させる（ステップＳ３０）。なお、このとき、主制御部１６１は、取得した紙幣の情報を、メモリ１６２に格納するとともに、適宜、操作端末２００に送信する。
【００５３】
紙幣判別部３０を通過した紙幣は、搬送路１０ａを経て、搬送路５０ａへと搬送される。主制御部１６１は、紙幣判別部３０で判別された金種に従って、ゲート５１〜５４を制御して、搬送路５０ａの紙幣を、対応する金種の紙幣収納庫７１〜７４に搬入させる。また、主制御部１６１は、リジェクト紙幣については、搬送路５０ａを通過させ、搬送路５０ｂ，６０ａを介して、入金リジェクト庫６０へと搬入させる。
【００５４】
ところで、本実施例の紙幣取扱装置１００では、紙幣が、紙幣判別部３０と第１の紙幣収納庫７１との間の搬送路１０ａを通過している間に、当該紙幣についての金種の判別やリジェクト紙幣の判定が完了する。即ち、紙幣が、紙幣判別部３０を通過した後、第１の紙幣収納庫７１のゲート５１に到達する前に、当該紙幣の搬送先が決定される。
【００５５】
従って、紙幣の搬送を停止させることなく、円滑に各紙幣収納庫７１〜７４へと紙幣を収納することができる。このように、本実施例の紙幣取扱装置１００では、入金取引の際に、紙幣判別部３０の後段の搬送路１０ａが、紙幣判別部３０における紙幣の判別のための処理時間を確保するための経路として機能する。
【００５６】
主制御部１６１は、紙幣入出金口４０に投入された全ての紙幣の搬送が完了するまで上記の紙幣の搬送処理を繰り返す（ステップＳ５０）。なお、主制御部１６１は、上記の紙幣搬送処理の実行中に、検知センサによって搬送ジャムなどの障害が検出された場合には（ステップＳ４０）、操作端末２００の表示部を介して、利用者に対して障害の発生を通知する（ステップＳ４５）。
【００５７】
図７は、障害発生を通知するメッセージの表示例を示す概略図である。ここで、メモリ１６２や操作端末２００には、主制御部１６１から取得した紙幣の情報に基づき、顧客から預かった紙幣の金種と、記番号と、その収納先（第１〜第４の紙幣収納庫７１〜７４またはリジェクト庫６０）とが、それぞれ対応させて記録してある。
【００５８】
そこで、入金取引における紙幣搬送中の障害発生時には、障害の発生を知らせる通知とともに、障害が発生するまでに搬送が終了している紙幣の情報（記番号、収納先、金種等）が、係員連絡２０２として、利用者に対して表示させる。利用者は、この係員連絡２０２の表示情報に基づき、入金紙幣と同じ記番号を有する紙幣を、紙幣取扱装置１００から取り出すことができる。
【００５９】
紙幣入出金口４０に投入された全ての紙幣の搬送が無事完了した後、利用者は、紙幣判別部３０によって計上された預かった紙幣の金額を顧客に示し、あらためて顧客の入金の意志を確認する（図５のステップＳ６０）。顧客が入金の意志を示したときに、取引が成立したことになり、紙幣の所有権が顧客から金融機関へと移行する。
【００６０】
なお、紙幣取扱装置１００には、入金取引の決定やキャンセルの意思表示のための操作部は、利用者が操作可能なように、利用者側（紙幣取扱装置１００の前方側）の上面に設けられているものとしても良い。あるいは、当該操作部は、顧客が操作可能なように、顧客側（紙幣取扱装置１００の後方側）の上面に設けられているものとしても良い。
【００６１】
紙幣取扱装置１００では、顧客が入金取引を確定させたときに（ステップＳ６０のＹＥＳの矢印）、入金取引処理が終了する。一方、顧客が入金取引をキャンセルした場合には（ステップＳ６０のＮＯの矢印）、ステップＳ７０以降の処理によって、顧客から預かった紙幣をそのまま顧客に返却することになる。ステップＳ７０では、主制御部１６１は、搬送路８０の構成を切り替えて、返金のための搬送経路を構成する。
【００６２】
図８は、入金取引処理における、第１〜第４の紙幣収納庫７１〜７４のそれぞれに収納された顧客の紙幣を紙幣入出金口４０に戻すための紙幣の搬送経路を示す概略図である。図８は、図示された紙幣の搬送経路が異なる点以外は、図６とほぼ同じである。
【００６３】
主制御部１６１は、第１と第２の駆動モータ１０ｍ，２０ｍの回転方向を、図６で説明した、紙幣の収納処理のときとは反対の方向に切り替える。これによって、紙幣を、各紙幣収納庫７１〜７４から、紙幣判別部３０を経て、紙幣入出金口４０へと、搬送することができる。ステップＳ８０（図５）では、主制御部１６１は、搬送路７１ａ〜７４ａを制御して、各紙幣収納庫７１〜７４のいずれかから紙幣を１枚ずつ繰り出させる。
【００６４】
ここで、主制御部１６１は、ステップＳ３０において紙幣判別部３０が取得し、メモリ１６２または操作端末２００に格納されている紙幣の記番号と収納先のデータ（以後、単に「記録データ」とも呼ぶ）を読み出す。そして、その記録データに記録されている紙幣の収納先に基づいて、各紙幣収納庫７１〜７４から紙幣を繰り出させる。以後、各紙幣収納庫７１〜７４から繰り出された紙幣を「返却紙幣」とも呼ぶ。
【００６５】
第１〜第３の紙幣収納庫７１〜７３から繰り出された返却紙幣は、搬送路５０ａ，１０ａを経て、紙幣判別部３０に到達する。第４の紙幣収納庫７４から繰り出された返却紙幣は、搬送路５０ｂ，５０ａ，１０ａを経て、紙幣判別部３０に到達する。紙幣判別部３０は、返却紙幣の記番号を読み取り、メモリ１６２または操作端末２００から取得した記録データと照合する（ステップＳ９０）。
【００６６】
主制御部１６１は、返却紙幣の記番号が、ステップＳ３０において記録されたデータ中に存在することを確認しつつ、紙幣返却のための搬送を続行する（ステップＳ１００）。ステップＳ９０の記番号の照合処理において、操作端末２００の記録データの記番号と返却紙幣の記番号との不一致が検出されなかった場合には、利用者は、紙幣入出金口４０に集積されている返却紙幣を顧客に、そのまま返却する。
【００６７】
一方、ステップＳ９０の記番号の照合処理において、記録データの記番号と返却紙幣の記番号との不一致が検出された場合には、主制御部１６１は、その旨を、操作端末２００の表示部に表示して利用者に通知する（ステップＳ１１０）。なお、記番号の不一致が生じる場合としては、例えば、返却紙幣が不足している場合や、返却紙幣に、記録データには無い記番号を有する紙幣が紛れ込んでいる場合などがある。
【００６８】
図９は、ステップＳ１１０において、利用者に通知されるメッセージの表示例を示す概略図である。この係員通知２０１が表示されたときには、利用者は、紙幣入出金口４０や入金リジェクト庫６０の紙幣の記番号を確認したり、第１〜第４の紙幣収納庫７１〜７４内の紙幣を調査するなどして、顧客から預かった紙幣と返却紙幣とを一致させる作業を行うことになる。
【００６９】
このように、本実施例の紙幣取扱装置１００では、顧客から預かった紙幣を、その記番号と収納先とを記録して収納する。そのため、入金キャンセル時には、その記番号に基づいて、同一の記番号を持つ紙幣を顧客に返却することができ、紙幣の管理性が確保されている。
【００７０】
ところで、従来の紙幣取扱装置では、顧客によって入金取引が確定されるまでは、顧客から預かった紙幣を、そのまま返却できるように一時保留部に保管し、入金キャンセル時には、その一時保留部から紙幣を返却していた。しかし、本実施例の紙幣取扱装置１００では、上記の構成により、顧客から一時的に預かった紙幣の確実な返却が可能であるため、紙幣の一時保留部を省略することができる。
【００７１】
従って、本実施例の紙幣取扱装置１００では、一時保留部を通過させる経路を省略できる分だけ、紙幣の収納のための搬送経路を短縮化し、入金取引処理を高速かつ効率的に実行することができる。また、紙幣の搬送経路の短縮化・簡易化によって、搬送による紙幣の疲弊や損傷・紛失が抑制されるため、紙幣の取扱性・保護性が向上し、その管理性が向上する。さらに、一時保留部が省略され、搬送経路が短縮化・簡易化されていることによって、装置の小型化が可能である。
【００７２】
［２］出金取引処理：
図１０は、紙幣取扱装置１００において実行される出金取引処理の処理手順を示すフローチャートである。ここで、「出金取引処理」とは、顧客からの要求等に応じた金額の紙幣を、紙幣取扱装置１００から取り出す処理である。なお、出金取引処理では、入金取引処理と同様に、搬送中に検出されたリジェクト紙幣が取引対象から除外される。
【００７３】
ステップＳ２００では、主制御部１６１は、処理機構１０１において、出金取引処理のための搬送経路を構成する。そして、主制御部１６１は、第１〜第４の紙幣収納庫７１〜７４から、必要な紙幣を１枚ずつ繰り出させて、紙幣の搬送を開始する。
【００７４】
図１１は、出金取引処理における紙幣の搬送経路を示す概略図である。図１１は、リジェクト紙幣の搬送経路を一点鎖線で図示してある点以外は、図８とほぼ同じである。なお、図１１では、便宜上、搬送路５０ｂについて、通常の紙幣の搬送路として機能しているとき（実線矢印）と、リジェクト紙幣の搬送路として機能しているとき（一点鎖線の矢印）の２つの状態をそれぞれオフセットして図示してある。
【００７５】
出金取引処理では、各紙幣収納庫７１〜７４から繰り出された紙幣は、上述した入金取引処理における返却紙幣の搬送経路と同様な経路によって、紙幣入出金口４０へと搬送される。ただし、出金取引処理では、紙幣判別部３０において、紙幣がリジェクト紙幣であるか否かの判別処理が実行される（図１０のステップＳ２１０）。
【００７６】
リジェクト紙幣が検出されたときには、主制御部１６１は、搬送路８０の構成を以下のように切り替えることによって、当該リジェクト紙幣を、出金リジェクト庫７０へと搬送する（ステップＳ２２０）。主制御部１６１は、第４の紙幣収納庫７４からの紙幣の繰り出しを一旦停止させる。このとき、第１〜第３の紙幣収納庫７１〜７３からの紙幣の繰り出し、及び、搬送路５０ａ，１０ａにおける紙幣の搬送は継続されている状態である。
【００７７】
主制御部１６１は、搬送路５０ｂ上に搬送中の紙幣がなくなったことを検出したときに、搬送路５０ｂの搬送方向を反転させるとともに、出金リジェクト庫７０の連結搬送路７０ａを駆動させる（図１１の一点鎖線で示した搬送経路）。さらに、主制御部１６１は、ゲート１４を制御して、搬送路１０ｅと搬送路４０ａとの接続を解除し、搬送路１０ｅと搬送路１０ｆとを接続させるとともに、ゲート１５を制御して、搬送路１０ｆと搬送路５０ｂとを接続させる。
【００７８】
搬送路１０ｅのリジェクト紙幣は、搬送路１０ｆを経て、搬送路５０ｂに搬送され、搬送路５０ｂおよび連結搬送路７０ａによって、出金リジェクト庫７０へと搬送される。出金リジェクト庫７０へのリジェクト紙幣の収納が完了すると、主制御部１６１は、再び、各紙幣収納庫７１〜７４から紙幣入出金口４０への紙幣の搬送経路の構成に復帰させる。
【００７９】
ところで、本実施例の紙幣取扱装置１００では、紙幣判別部３０によるリジェクト紙幣の判別処理は、判別対象である紙幣が、紙幣判別部３０の前方側の搬送路１０ｄを通過している間に完了する。これによって、判別対象である紙幣を、その判別結果に応じて、円滑に、紙幣入出金口４０の搬送路４０ａまたは出金リジェクト庫７０に接続された搬送路１０ｆへと円滑に搬送させることができる。即ち、搬送路１０ｄは、リジェクト紙幣についての判別結果が出るまでの時間を確保するための経路として機能している。
【００８０】
なお、出金取引処理では、リジェクト紙幣は、出金リジェクト庫７０に換えて、入金リジェクト庫６０に搬送されるものとしても良い。この場合には、主制御部１６１は、入金リジェクト庫６０のリジェクト庫用搬送路６０ａを駆動させるとともに、ゲート５５を制御して、リジェクト庫用搬送路６０ａと搬送路５０ｂとを接続させる。
【００８１】
主制御部１６１は、必要な金額の紙幣が紙幣入出金口４０に収容されるまで、上記の紙幣の搬送を継続し（図１０のステップＳ２３０）、紙幣の搬送が完了したときに、紙幣入出金口４０のシャッターを開く。これによって、利用者は、紙幣入出金口４０から紙幣の束を取り出し、顧客に渡すことができる。
【００８２】
このように、本実施例の紙幣取扱装置１００であれば、簡易な構成を有する紙幣の搬送経路によって、リジェクト紙幣を迅速に取引対象から除外しつつ出金する出金取引処理を効率的に実行することができる。また、紙幣の搬送経路の短縮化・簡易化されていることにより、出金取引処理における紙幣の保護性が向上される。
【００８３】
［３］紙幣装填処理：
図１２は、紙幣取扱装置１００が実行する紙幣装填処理における紙幣の搬送経路を示す、図１１と同様な概略図である。ここで、「紙幣装填処理」とは、紙幣取扱装置１００において、上述したような顧客との取引処理を実行する前などに、予め、第１〜第３の紙幣収納庫７１〜７３に紙幣を装填（補給）しておく処理を意味する。
【００８４】
なお、この紙幣装填処理では、上述した取引処理において、出金リジェクト庫７０として機能していた収納庫が、装填用の紙幣の束が収納される収納庫として機能する。また、第４の紙幣収納庫７４として機能していた収納庫が、リジェクト紙幣を収納するための収納庫として機能する。以下では、出金リジェクト庫７０を、「装填紙幣収納庫７０」とも呼び、第４の紙幣収納庫７４を「リジェクト庫７４」とも呼ぶ。
【００８５】
紙幣装填処理の実行の際には、主制御部１６１は、ゲート５５を制御して、装填紙幣収納庫７０の連結搬送路７０ａと、搬送路５０ｂとを接続する。また、ゲート１５を制御して、搬送路５０ｂと、搬送路１０ｆとを接続し、ゲート１４を制御して、搬送路１０ｆと搬送路１０ｅとを接続する。
【００８６】
さらに、主制御部１６１は、第１の搬送路１０における紙幣の搬送方向が矢印Ｄ２の方向になるように、第１の駆動モータ１０ｍの回転方向を制御する。また、主制御部１６１は、第２の搬送路２０における紙幣の搬送方向が前方から後方に向かう方向となるように、第２の駆動モータ２０ｍの回転方向を制御する。これによって、紙幣取扱装置１００では、紙幣が、装填紙幣収納庫７０から、紙幣判別部３０を経由して、第１〜第３の紙幣収納庫７１〜７３のいずれかに到達できる搬送経路が構成される。
【００８７】
主制御部１６１は、連結搬送路７０ａを介して、装填紙幣収納庫７０から１枚ずつ紙幣を繰り出させる。繰り出された紙幣は、搬送路５０ｂ，１０ｆ，１０ｅ，１０ｄを経て、紙幣判別部３０へと搬送される。紙幣判別部３０では、紙幣の金種の判別と、記番号の読み取りと、リジェクト紙幣の検出とが実行される。
【００８８】
主制御部１６１は、紙幣判別部３０が取得した紙幣の情報を受信し、ゲート５１〜５３を制御することにより、搬送路１０ａ，５０ａを通過した紙幣を、金種に応じて第１〜第３の紙幣収納庫７１〜７３のいずれかに装填させる。また、主制御部１６１は、紙幣判別部３０から取得した紙幣の情報に基づいて、装填される紙幣についての、記番号と収納先とを対応させた情報を、メモリ１６２に格納するとともに、操作端末２００に送信する。
【００８９】
このように、本実施例の紙幣取扱装置１００では、紙幣装填処理の際に、紙幣ごとの収納先や、金種ごとの紙幣の収納枚数を記録することができ、紙幣取扱装置１００における紙幣の管理性を向上させることができる。なお、操作端末２００は、記録データに基づいて、各紙幣の収納先を検索することができるデータベースを作成するものとしても良い。また、操作端末２００は、紙幣収納庫７１〜７３ごとに、収納されている紙幣の記番号のリストを作成し、利用者に提供するものとしても良い。
【００９０】
ここで、紙幣判別部３０においてリジェクト紙幣が検出された場合には、主制御部１６１は、紙幣の搬送経路を以下のように切り替える。主制御部１６１は、連結搬送路７０ａの駆動を停止させ、装填紙幣収納庫７０からの紙幣の繰り出しを一旦停止させる。そして、搬送路５０ｂの搬送方向を反転させるとともに、リジェクト庫７４の連結搬送路７４ａの駆動を開始させる。
【００９１】
これによって、リジェクト紙幣を、第１〜第３の紙幣収納庫７１〜７３の入口を通過させて、搬送路５０ｂ，７４ａを介して、リジェクト庫７４に収納させることができる。リジェクト紙幣の収納が完了したときには、主制御部１６１は、装填紙幣収納庫７０から第１〜第３の紙幣収納庫７１〜７３への紙幣の搬送経路を復帰させる。
【００９２】
なお、紙幣装填処理では、リジェクト紙幣を、リジェクト庫７４に換えて、入金リジェクト庫６０に搬送させるものとしても良い。この場合には、主制御部１６１は、ゲート５５を制御して、搬送路５０ｂを、リジェクト庫７４の連結搬送路７４ａではなく、入金リジェクト庫６０のリジェクト庫用搬送路６０ａに接続させれば良い。
【００９３】
以上のように、本実施例の紙幣取扱装置１００であれば、紙幣装填処理によって、簡易かつ効率的に、リジェクト紙幣を取り除きつつ、第１〜第３の紙幣収納庫７１〜７３に紙幣を装填させることができる。また、第１〜第３の紙幣収納庫７１〜７３に装填される紙幣の記番号を記録しておくことができるため、紙幣取扱装置１００における紙幣の管理性を向上させることができる。
【００９４】
［４］紙幣回収処理：
図１３は、紙幣取扱装置１００が実行する紙幣回収処理における紙幣の搬送経路を示す、図１２と同様な概略図である。ここで、「紙幣回収処理」とは、紙幣取扱装置１００における取引処理の実行後などに、第１〜第３の紙幣収納庫７１〜７３に集積された紙幣を、装填紙幣収納庫７０に回収する処理を意味する。なお、以下の紙幣回収処理の説明では、上記の紙幣装填処理の説明と同様に、２つの収納庫７０，７４を、「装填紙幣収納庫７０」及び「リジェクト庫７４」と呼ぶ。
【００９５】
紙幣回収処理の実行時には、主制御部１６１は、ゲート１４，１５，５５を制御して、上記の紙幣装填処理と同様に、装填紙幣収納庫７０の連結搬送路７０ａと、搬送路５０ｂと、搬送路１０ｆと、搬送路１０ｅとを接続させる。そして、主制御部１６１は、第１の搬送路１０における紙幣の搬送方向が矢印Ｄ１の方向となるように、第１の駆動モータ１０ｍの回転方向を制御する。
【００９６】
また、主制御部１６１は、第２の搬送路２０における紙幣の搬送方向が、後方から前方に向かう方向となるように、第２の駆動モータ２０ｍの回転方向を制御する。これによって、第１〜第３の紙幣収納庫７１〜７３から繰り出された紙幣が、紙幣判別部３０を経て、装填紙幣収納庫７０に到達できる搬送経路が構成される。
【００９７】
主制御部１６１は、所定の順序で、第１〜第３の紙幣収納庫７１〜７３のいずれかから、対応する連結搬送路７１ａ〜７３ａによって、紙幣を１枚ずつ繰り出させる。繰り出された紙幣は、搬送路５０ａ，１０ａを経て、紙幣判別部３０へと搬送される。紙幣判別部３０は、紙幣の金種の判別と、記番号の読み取りと、リジェクト紙幣の検出と、を実行する。紙幣判別部３０が取得した紙幣に関する情報は、主制御部１６１に送信される。
【００９８】
紙幣判別部３０を通過した紙幣は、搬送路１０ｄ，１０ｅ，１０ｆ，５０ｂ，７０ａを経て、装填紙幣収納庫７０に収納される。主制御部１６１は、紙幣判別部３０から取得した紙幣の情報を、メモリ１６２に格納するとともに操作端末２００に送信する。これによって、回収後の紙幣について、金種ごとの枚数や記番号を取得することができ、紙幣取扱装置１００における紙幣の管理性を向上させることができる。なお、操作端末２００は、受信した紙幣の情報に基づいて、回収された紙幣についてのリストやデータベースを作成するものとしても良い。
【００９９】
ここで、紙幣判別部３０においてリジェクト紙幣が検出された場合には、主制御部１６１は、搬送路８０の構成を以下のように一時的に切り替える。主制御部１６１は、装填紙幣収納庫７０の連結搬送路７０ａの駆動を停止させるとともに、リジェクト庫７４の連結搬送路７４ａの駆動を開始させる。そして、ゲート５４を制御して、搬送路５０ｂと連結搬送路７４ａとを接続させる。
【０１００】
これによって、リジェクト紙幣を、リジェクト庫７４に収納させることができる。リジェクト紙幣の収納が完了したときには、主制御部１６１は、第１〜第３の紙幣収納庫７１〜７３から装填紙幣収納庫７０への紙幣の搬送経路を復帰させる。なお、紙幣回収処理では、リジェクト紙幣を、リジェクト庫７４に換えて、入金リジェクト庫６０に搬送させるものとしても良い。
【０１０１】
以上のように、本実施例の紙幣取扱装置１００であれば、紙幣回収処理によって、簡易かつ効率的に、リジェクト紙幣を取り除きつつ、第１〜第３の紙幣収納庫７１〜７３から紙幣を回収することができる。また、回収された紙幣の金種ごとの枚数や記番号を記録しておくことができるため、紙幣の管理性を向上させることができる。
【０１０２】
［５］紙幣精査処理：
図１４は、紙幣取扱装置１００が実行する紙幣精査処理の処理手順を示すフローチャートである。ここで、「紙幣精査処理」とは、紙幣取扱装置１００における取引処理の実行前や実行後などに、第１〜第３の紙幣収納庫７１〜７３に収納されている紙幣の金種ごとの枚数や記番号などを精査する処理を意味する。なお、以下の紙幣精査処理の説明では、上記の紙幣回収処理の説明と同様に、２つの収納庫７０，７４を、「装填紙幣収納庫７０」及び「リジェクト庫７４」と呼ぶ。
【０１０３】
ステップＳ３００では、主制御部１６１は、上記の紙幣回収処理と同様な手順・搬送経路によって、第１〜第３の紙幣収納庫７１〜７３の紙幣を装填紙幣収納庫７０に回収する（図１３）。なお、このとき、主制御部１６１は、紙幣判別部３０によって紙幣の金種・記番号を取得し、紙幣が収納されていた収納庫を特定する情報とともに、メモリ１６２に格納するとともに、操作端末２００に送信する。また、この紙幣の回収処理の際に、紙幣判別部３０によって検出されたリジェクト紙幣は、リジェクト庫７４に収納される。
【０１０４】
ステップＳ３１０では、主制御部１６１は、上記の紙幣装填処理と同様な手順・搬送経路によって、装填紙幣収納庫７０の紙幣を、元の紙幣装填庫７１〜７３に装填させる（図１２）。この工程においても、紙幣判別部３０によって検出されたリジェクト紙幣は、リジェクト庫７４に収納される。なお、この工程では、紙幣判別部３０は、リジェクト紙幣の判別のみを実行し、紙幣の金種の判別処理や、記番号の読み取り処理を省略するものとしても良い。
【０１０５】
以上のように、本実施例の紙幣取扱装置１００であれば、紙幣精査処理によって、簡易かつ効率的に、リジェクト紙幣を取り除きつつ、第１〜第３の紙幣収納庫７１〜７３に収納されている紙幣の枚数や記番号を確認することができる。従って、紙幣取扱装置１００における紙幣の管理性を向上させることができる。
【０１０６】
［変形例］
なお、本発明は上記の実施例や実施形態に限られるものではなく、その要旨を逸脱しない範囲において種々の態様において実施することが可能である。例えば、本発明の実施例や実施形態は、上記実施例や実施形態で説明した構成の全てを備えていなくとも良く、一部の構成を省略したり、他の構成に置換したりすることも可能である。また、上記実施例や実施形態の構成に、さらに、他の構成を追加することも可能である。
さらに、上記実施例や実施形態の各構成部、機能、処理部、処理手段等の全部または一部は、集積回路などのハードウェアによって実現されるものとしても良いし、プロセッサ等によって実行されるコンピュータプログラム等のソフトウェア、当該コンピュータプログラム等のソフトウェアや、本発明の実施のためのデータベースや、テーブル、ファイル等の情報を記録した記録媒体等の形態で実現されるものとしても良い。
また、本発明は、上記の実施例や実施形態以外に、種々の形態で実現することが可能であり、例えば、紙幣取扱装置、紙幣取扱装置における紙幣の管理方法、搬送方法、紙幣取扱装置の制御方法および制御装置として実現することが可能である。
【０１０７】
［１］変形例１：
上記実施例では、紙幣取扱装置１００は、４つの紙幣収納庫７１〜７４を備えていた。しかし、紙幣取扱装置１００は、さらに多くの紙幣収納庫を備えているものとしても良く、４つより少ない紙幣収納庫を備えているものとしても良い。紙幣取扱装置１００における紙幣収納庫の数は、取り扱う紙幣の種類に応じて任意に設定可能である。また、紙幣取扱装置１００では、搬送路８０が、上記実施例で説明した構成以外の構成を有するものとしても良い。
【０１０８】
［２］変形例２：
上記実施例において、紙幣取扱装置１００では、入金取引処理や出金取引処理が実行されていた。また、取引の準備処理として、紙幣装填処理や、紙幣回収処理、紙幣精査処理が実行されていた。しかし、紙幣取扱装置１００では、他の取引処理や、他の準備処理がさらに実行されるものとしても良い。また、上記の処理のうち、少なくとも紙幣装填処理が実行されれば良く、他の処理は実行されないものとしても良い。
【０１０９】
［３］変形例３：
上記実施例において、紙幣判別部３０は、紙幣の金種の判別処理と、紙幣の記番号の読み取り処理と、リジェクト紙幣の検出処理とを実行していた。しかし、紙幣判別部３０は、少なくとも、紙幣の記番号の読み取り処理を実行すれば良い。なお、紙幣判別部３０が金種の判別処理を実行しない場合には、紙幣取扱装置１００では、例えば、所定の順番で、各紙幣収納庫７１〜７３に紙幣が装填されるものとしても良い。
【０１１０】
［４］変形例４：
上記実施例の入金取引処理では、紙幣判別部３０は、返却紙幣の搬送の際に、リジェクト紙幣の検出を実行していなかった。しかし、紙幣判別部３０は、返却紙幣についてもリジェクト紙幣を検出するものとしても良い。なお、この場合に、検出されたリジェクト紙幣は、出金取引処理のときと同様な経路で、入金リジェクト庫６０または出金リジェクト庫７０へと搬送されるものとしても良い。
【０１１１】
［５］変形例５：
上記実施例では、紙幣取扱装置１００は、一時保留庫を備えていない構成を有していた。しかし、紙幣取扱装置１００には、一時保留庫が設けられるものとしても良い。ただし、一時保留庫を設けていないことにより、紙幣の搬送経路を短縮化・簡易化することができるため、各取引処理や準備処理を効率的に実行することができるとともに、装置の小型化ができるため好ましい。
【０１１２】
［６］変形例６：
上記実施例では、紙幣判別部３０によって取得された記録データが、メモリ１６２に格納されるとともに、操作端末２００に送信されていた。しかし、操作端末２００への記録データの送信は省略されるものとしても良い。
【符号の説明】
【０１１３】
１０…第１の搬送路
１０ａ，１０ｄ，１０ｅ，１０ｆ，５０ａ，５０ｂ…搬送路
１０ｍ…第１の駆動モータ
１４，１５…ゲート
１６…制御部
１６１…主制御部
１６１１…入金取引処理実行部
１６１２…出金取引処理実行部
１６１３…紙幣装填処理実行部
１６１４…紙幣回収処理実行部
１６１５…紙幣精査処理実行部
１６２…メモリ
１６３…上位通信部
１６５…検知センサ
１６６…駆動モータ
１６７…ゲート
２０…第２の搬送路
２０ｍ…第２の駆動モータ
３０…紙幣判別部
３０ａ…搬送路
４０…紙幣入出金口
４０ａ…入出金搬送路
５１〜５５…ゲート
６０…入金リジェクト庫
６０ａ…リジェクト庫用搬送路
７０…出金リジェクト庫／装填紙幣収納庫
７０ａ…連結搬送路
７１〜７３…第１〜第３の紙幣収納庫
７４…第４の紙幣収納庫／リジェクト庫
７１ａ〜７４ａ…連結搬送路
８０…搬送路
１００…紙幣取扱装置
１０１…処理機構
１０２…収納機構
２００…操作端末
２０１，２０２…係員通知
【図１】
2014002508.tif 000003
【図２】
2014002508.tif 000004
【図３】
2014002508.tif 000005
【図４】
2014002508.tif 000006
【図５】
2014002508.tif 000007
【図６】
2014002508.tif 000008
【図７】
2014002508.tif 000009
【図８】
2014002508.tif 000010
【図９】
2014002508.tif 000011
【図１０】
2014002508.tif 000012
【図１１】
2014002508.tif 000013
【図１２】
2014002508.tif 000014
【図１３】
2014002508.tif 000015
【図１４】
2014002508.tif 000016